(57)【特許請求の範囲】
【請求項１】
薬剤が含浸された薬剤保持体と、モータを有して当該モータが回転駆動されることにより、当該薬剤保持体に対して気流を発生させて前記薬剤を空気中に拡散する送風手段と、を備えた薬剤拡散装置であって、
前記送風手段は、
複数の平板が前記モータの回転軸の軸方向と略平行となるように前記回転軸に放射状に直接取り付けられた平板状ファンにより構成され、
前記平板状ファンの前記平板は、前記モータ側の端部に半径方向にわたって、軸方向と直交方向に延在する補強板が一体に設けられている
ことを特徴とする薬剤拡散装置。
【請求項２】
前記複数の平板が、
前記回転軸の周方向に対し、対称にして等間隔に配置されている
ことを特徴とする請求項１に記載の薬剤拡散装置。
【請求項３】
前記複数の平板が、
前記回転軸の周方向に対し、４５°、６０°、７２°、９０°、１２０°、１８０°のいずれかの間隔毎にそれぞれ離間配置されている
ことを特徴とする請求項２に記載の薬剤拡散装置。
【請求項４】
前記送風手段により発生する前記気流の流路中に、前記薬剤保持体が配置されている
ことを特徴とする請求項１から請求項３のいずれか１つに記載の薬剤拡散装置。
【請求項５】
前記複数の平板が、
前記薬剤保持体を備える
ことを特徴とする請求項１から請求項３のいずれか１つに記載の薬剤拡散装置。
【請求項６】
前記送風手段により発生する前記気流が通過し得る開口を複数、備えた
ことを特徴とする請求項１から請求項５のいずれか１つに記載の薬剤拡散装置。
【請求項７】
複数の前記開口は、互いに異なる方向に前記気流が通過し得る
ことを特徴とする請求項６に記載の薬剤拡散装置。
【請求項８】
前記送風手段は、
前記モータに供給される電流値が５０ｍＡ以下であり、０．１リットル／秒以上の風量の前記気流を発生させる
ことを特徴とする請求項１から請求項７のいずれか１つに記載の薬剤拡散装置。
【請求項９】
前記送風手段は、
前記モータの回転軸が時計回り及び反時計回りに回転したとき、略同一風量の前記気流を発生させる
ことを特徴とする請求項１から請求項８のいずれか１つに記載の薬剤拡散装置。
【請求項１０】
前記薬剤が、
害虫防除剤である
ことを特徴とする請求項１から請求項９のいずれか１つに記載の薬剤拡散装置。
【請求項１１】
請求項１から請求項１０のいずれか１つに記載の薬剤拡散装置によって、前記薬剤保持体に含浸された前記薬剤を外部に拡散する
ことを特徴とする薬剤拡散方法。
【発明の詳細な説明】
【技術分野】
【０００１】
本発明は、薬剤拡散装置及び薬剤拡散方法に関し、より詳細には、使用者が身につけて屋外などで携帯使用するのに好適な薬剤拡散装置及び薬剤拡散方法に関する。
【背景技術】
【０００２】
従来、薬剤を含浸させた薬剤保持体にファンからの気流を当て、有効成分を拡散させる薬剤拡散装置がある。このような薬剤拡散装置に使用されるファンとしては、シロッコファン、プロペラファン、など種々の形状のものが知られている（例えば、特許文献１、２参照）。
【０００３】
特許文献１に開示されているファン式薬剤放散装置は、シロッコファンの側面に薬剤保持体を着脱自在に取り付けて装置の薄型化を図ると共に、薬剤保持体の交換が容易に行えるようにしたものである。
また、特許文献２に開示されている送風式害虫防除装置は、シロッコファンなどを用いる装置で、２つの排気口をファンの回転方向に対して傾斜させた形状によって、害虫防除成分を上下に拡散、到達させ易くしたものである。
【０００４】
【特許文献１】特開２００５−２３７３２０号公報
【特許文献２】特開２００５−２０４５１７号公報
【発明の開示】
【発明が解決しようとする課題】
【０００５】
特許文献１、２の装置は、いずれもプロペラファンやシロッコファンを用いて気流を発生させるようにしたものであり、吸気口及び排気口の開口及び薬剤保持体の位置などがファンの形式によって制約を受けることがある。例えば、プロペラファンの場合、ファンの軸方向後方から吸い込まれた空気が前方に向けて排気され、気流がファンの回転軸に沿った方向に発生する。また、シロッコファンによると、ファンの軸方向から吸い込まれた空気が半径方向外方に排気されると共に、回転方向が決まっていた。このように、気流の発生方向が決まっているので、吸気口及び排気口の開口及び薬剤保持体の位置などの設計時におけるデザインが制約される問題があった。さらに、吸排気口の開口が閉鎖されないように配慮する必要があり、使用時の薬剤拡散装置の設置が制限を受ける。また、プロペラファンやシロッコファンは、ファンが逆回転すると発生風量が極端に減少し、且つ気流が逆方向の流れとなり、薬剤拡散作用が阻害されるので使用方法が制限される問題があった。
【０００６】
また、薬剤拡散装置を携帯用とした場合、小型且つ効率的な薬剤拡散が強く要求され、少ない消費電力でより多くの風量の気流を発生させることができる送風手段が強く求められていた。
【０００７】
本発明は、前述した課題に鑑みてなされたものであり、その目的は、大風量の気流を効率よく発生させると共に、気流が通過する開口の配置制約が少なく、任意形状のデザインで小型化などを可能とした使い勝手のよい薬剤拡散装置及び薬剤拡散方法を提供することにある。
【課題を解決するための手段】
【０００８】
本発明の上記目的は、下記の構成により達成される。
（１）  薬剤が含浸された薬剤保持体と、モータを有して当該モータが回転駆動されることにより、当該薬剤保持体に対して気流を発生させて前記薬剤を空気中に拡散する送風手段と、を備えた薬剤拡散装置であって、
前記送風手段は、
複数の平板が前記モータの回転軸の軸方向と略平行となるように前記回転軸に放射状に直接取り付けられた平板状ファンにより構成され、
前記平板状ファンの前記平板は、前記モータ側の端部に半径方向にわたって、軸方向と直交方向に延在する補強板が一体に設けられている
ことを特徴とする薬剤拡散装置。
（２）  前記複数の平板が、
前記回転軸の周方向に対し、対称にして等間隔に配置されている
ことを特徴とする上記（１）に記載の薬剤拡散装置。
（３）  前記複数の平板が、
前記回転軸の周方向に対し、４５°、６０°、７２°、９０°、１２０°、１８０°のいずれかの間隔毎にそれぞれ離間配置されている
ことを特徴とする上記（２）に記載の薬剤拡散装置。
（４）  前記送風手段により発生する前記気流の流路中に、前記薬剤保持体が配置されている
ことを特徴とする上記（１）から上記（３）のいずれか１つに記載の薬剤拡散装置。
（５）  前記複数の平板が、
前記薬剤保持体を備える
ことを特徴とする上記（１）から上記（３）のいずれか１つに記載の薬剤拡散装置。
（６）  前記送風手段により発生する前記気流が通過し得る開口を複数、備えた
ことを特徴とする上記（１）から上記（５）のいずれか１つに記載の薬剤拡散装置。
（７）  複数の前記開口は、互いに異なる方向に前記気流が通過し得る
ことを特徴とする上記（６）に記載の薬剤拡散装置。
（８）  前記送風手段は、
前記モータに供給される電流値が５０ｍＡ以下であり、０．１リットル／秒以上の風量の前記気流を発生させる
ことを特徴とする上記（１）から上記（７）のいずれか１つに記載の薬剤拡散装置。
（９）  前記送風手段は、
前記モータの回転軸が時計回り及び反時計回りに回転したとき、略同一風量の前記気流を発生させる
ことを特徴とする上記（１）から上記（８）のいずれか１つに記載の薬剤拡散装置。
（１０）  前記薬剤が、
害虫防除剤である
ことを特徴とする上記（１）から上記（９）のいずれか１つに記載の薬剤拡散装置。
（１１）  上記（１）から上記（１０）のいずれか１つに記載の薬剤拡散装置によって、前記薬剤保持体に含浸された前記薬剤を外部に拡散する
ことを特徴とする薬剤拡散方法。
【０００９】
本発明の発明者らは、鋭意検討の結果、モータの回転軸と軸方向と略平行になるように複数の平板をモータの回転軸に取付けて送風手段を構成し回転させることにより、少ない消費電力で十分な風量を得ることができて、開口の配置によらず気流を発生させ、薬剤保持体に対し十分な気流を供給し得ることを見出した。即ち、発明者らは、このような送風手段を設けることにより、消費電力に対する風量効率、前記開口の配置、回転方向などの制約を受けることなく薬剤揮散装置の設計に小型化などの自由度をもたせられることを発見した。
【００１０】
したがって、上記構成の薬剤拡散装置によれば、薬剤が含浸された薬剤保持体と、回転軸の軸方向と略平行になるように複数の平板をモータの回転軸に取り付けられた平板状ファンにより構成される送風手段とを備え、モータを回転駆動することにより薬剤保持体に対して気流を発生させて、薬剤保持体に含浸された薬剤を空気中に拡散するようにしたので、吸気口及び排気口の開口の位置を任意位置に設定することができ、設計の自由度が向上して任意のデザインが可能となる。これにより、使用態様に応じた自由な設計ができ、又は配置の仕方によって吸気口及び排気口の開口が閉鎖される虞をなくして、使い勝手のよい薬剤拡散装置が得られる。さらに、少ない消費電力で多くの風量を供給することができる。
【００１１】
また、平板は、回転軸の周方向に対し、対称にして等間隔に配置されていることが好ましく、更に４５°、６０°、７２°、９０°、１２０°、１８０°のいずれかの間隔毎にそれぞれ離間配置されていることが好ましい。これにより、非常に簡単な構成のファンでありながら風量を確保し、且つ回転バランスに優れ、振動や騒音の少ない送風手段が得られる。また、このような形態の平板は、構造が簡単であるので、射出成型によって容易且つ安価に成形することができ、生産性を向上させることができる。
【００１２】
更に、送風手段により発生する気流の流路中に薬剤保持体を配置し、或いは、平板に薬剤保持体を備えることができる。これによって、薬剤拡散装置を小型化すると共に、薬剤保持体から効率的に薬剤を拡散することができる。
【００１３】
また、送風手段により発生する気流を外部に通過させる開口を複数、備えると共に、当該複数の開口は、互いに異なる方向に気流を通過させ得るので、仮に薬剤拡散装置の配置位置によって前記複数の開口の一部が閉鎖されたとしても、十分な気流が発生しないという虞がなく、したがって効果的に薬剤を拡散することができる。例えば、ネックレスのような形状の薬剤拡散装置とした場合、正面に開口が設けられていたとしても、裏面にも開口を配置すれば、裏表を確認することなく使用することができ、使い勝手が向上する。
【００１４】
更に、送風手段は、モータに供給される電流値が１〜１００ｍＡ、好ましくは１〜５０ｍＡであり、０．１〜６リットル／秒、好ましくは０．３〜６リットル／秒の風量の気流を発生できることが好ましい。これにより、少ない電力で薬剤を拡散させるに十分な風量が得られ、例えば、電池駆動される携帯型薬剤拡散装置とするのに好適である。
【００１５】
また、送風手段は、回転方向は任意であり、モータの回転方向が時計回りから逆転しても、風向き、風量とも略同一風量の気流を発生させることができ、これにより、正負極を気にすることなく電池などを装着することができるので、使用が容易で、且つ常に一定性能の薬剤拡散性能を維持することが可能な薬剤拡散装置が得られる。
【００１６】
薬剤として害虫防除剤を薬剤保持体に含浸させることができ、これにより害虫防除剤を拡散させて、例えば昆虫綱双翅目（ハエ目）のハエ、蚊、ブユ、アブなど、隠翅目（ノミ目）のノミなど、網翅目（ゴキブリ目）のゴキブリなど、膜翅目（ハチ目）のハチ、アリなど、等翅目（シロアリ目）のシロアリなど、半翅目（カメムシ目）のカメムシなど、鞘翅目（コウチュウ目）のキクイムシなど、鱗翅目（チョウ目）のイガなど、昆虫以外に蛛形綱（クモ綱）ダニ目のダニなどの害虫を防除することができる。
【００１７】
また、平板状ファンの平板が、モータ側の端部に半径方向にわたって、軸方向と直交方向に延在する補強板が一体に設けられているので、平板の剛性が高まり、平板の撓み変形等を防止することができ、風量及び風速の安定化を図ることができる。
【００１８】
また、本発明の薬剤拡散方法によれば、上記（１）〜（１１）のいずれか１つに記載の薬剤拡散装置によって、薬剤保持体に含浸された薬剤を外部に拡散するようにしたので、送風手段が発生する大風量の気流で効果的に薬剤を拡散することができる。
【発明の効果】
【００１９】
本発明の薬剤拡散装置によれば、少ない消費電力で大風量の気流を効率よく発生させると共に、開口の配置制約が少なく、任意形状のデザインで小型化も可能とした使い勝手のよい薬剤拡散装置及び薬剤拡散方法を提供する。
【発明を実施するための最良の形態】
【００２０】
以下、本発明に係る薬剤拡散装置の実施形態を図面に基づいて詳細に説明する。
図１は本発明の実施形態である薬剤拡散装置の分解斜視図、図２は図１における平板状ファンの斜視図、図３は平板状ファンの他の形態を示す斜視図、図４は平板状ファンの更に他の形態を示す斜視図である。
【００２１】
図１に示すように、薬剤拡散装置１００は、ケーシング１０と、該ケーシング１０内に配置されたモータ１１と、モータ１１及び平板状ファン１２を有する送風手段１３と、薬剤が保持された薬剤保持体１４と、を備えている。
【００２２】
ケーシング１０は、合成樹脂などによって略中空直方体形状に形成されており、両側面に矩形の開口１５、１５が設けられ、上面には円形の開口１６が設けられている。ケーシング１０内には、開口１６の中心とモータ１１の回転軸１７の軸心とを略一致させてモータ１１が配設されている。回転軸１７には、平板状ファン１２が圧入などによって固定されて、回転軸１７と共に回転するようになっている。
【００２３】
平板状ファン１２は、例えば、合成樹脂で射出成型された略平板状部材であり、中心に形成された円筒状ボス２１から半径方向外方に２枚の平板２２が１８０°の間隔で形成されている（図２参照）。円筒状ボス２１には、回転軸１７の直径よりわずかに小さい内径の取付穴２３が形成されており、モータ１１の回転軸１７が圧入・固定される。２枚の平板２２の板厚方向（回転方向）と直交する面２２ａは、取付穴２３の中心軸ＣＬと略平行に形成されている。平板２２は、回転軸１７の周方向に対して等間隔に配置されているので、その重心は円筒状ボス２１の中心軸ＣＬ上に位置しており、回転時のバランスが極めて優れ、振動することなく滑らかに回転することとなる。また、平板状ファン１２の形状は、上記したように単純な形状であるので、合成樹脂を射出成型することにより極めて簡単、且つ安価に製作することができ、更に、成形金型の製作も容易である。
【００２４】
薬剤保持体１４は、薬剤を保持する担体３０と、担体３０を収容・保持する保持器３１とを有する。担体３０は、略矩形シート状の外形を有しており、害虫防除剤を含む薬剤が保持されている。
【００２５】
担体３０は、形態、材質、サイズ等を任意に設定できるが、簡単な構造で、通気性の大きいものが好ましい。例えば、ハニカム形状、スノコ形状、蛇腹形状、網形状、スリット形状、格子形状、粒状、顆粒状、または開孔を設けた紙類等の構造のものを採用できる。上記した以外の形状として、例えば６角形蜂の巣形状でも、円形状、Ｓ字形状でもよい。通気性ケース（保持体ケース）中に、粒体、ブロック、粉砕物、シート等を、通気性を阻害しないように収納した通気性担体も、担体３０として使用し得る。
【００２６】
担体３０を形成する材質は、薬剤中の害虫防除剤を十分に保持できるものであれば特に限定されない。しかし、保持した有効成分を一時に揮散させるようなものより所定の時間にわたって略同量の害虫防除剤を連続的に揮散させることができるような材質であることが好ましい。例えば紙類（濾紙、パルプ、リンター、厚紙、ダンボール等）、樹脂類（ポリエチレン、ポリプロピレン、ポリ塩化ビニル、高吸油性ポリマー等）、セラミック、ガラス繊維、炭素繊維、化学繊維（ポリエステル、ナイロン、アクリル、ビニロン、ポリエチレン、ポリプロピレン等）、天然繊維（木綿、絹、羊毛、麻等）、ガラス繊維、炭素繊維、化学繊維、天然繊維等からなる不織布、編織布等の布綿、多孔性ガラス材料、多孔性金属材料、金網等が挙げられる。
【００２７】
また、担体３０は、有効成分を含む薬剤を保持し、これらの一種または二種以上を組み合わせて任意の形状にして使用するものであってもよい。担体３０に有効成分等を保持させるには、担体３０に薬剤を滴下塗布、含浸塗布、スプレー塗布等の液状塗布方法、液状印刷、はけ塗り等の方法、或いは担体３０へ貼り付けする方法等を用いることができる。更に、使用する組成物が液状のものでない場合、或いは溶剤を使用しない場合、混練、練り込み、塗布、印刷等の方法を適用できる。
【００２８】
担体３０に保持させる薬剤の有効成分としては、害虫防除剤、殺菌剤、芳香剤、消臭剤等を例示できる。代表的な害虫防除剤としてはピレスロイド系であるアレスリン、ビフェントリン、シフルスリン、サイパーメスリン、シフェノトリン、デルタメスリン、エムペントリン、エトフェンプロックス、フェンプロパトリン、フェンバレレート、イミプロトリン、メトフルトリン、ペルメトリン、フェノトリン、フタルスリン、プラレトリン、プロフルトリン、ピレトリン、レスメトリン、シラフルオフェン、トランスフルスリンなどが挙げられる。また、殺菌剤としてはイソプロピルメチルフェノール、ｏ−フェニルフェノール、チモールなど、芳香剤としてはピネン、リモネン、バニリンなど、消臭剤としては、メタクリル酸ラウリル、メチル化シクロデキストリン、カテキンなどが挙げられる。
【００２９】
また、上記した化合物に例えば構造上類似し、実質的には同様の薬効のある化合物も挙げることができる。例えばエンペントリンの場合３位の２個の置換基はメチル基であるが、その置換基として他のアルキル基、不飽和アルキル基またはハロゲン原子である化合物を用いることもできる。この他にも、カーバメイト系としてカルバリル、プロポクスルなど、有機リン系としてジクロルボス、フェニトロチオンなど、ネオニコチノイド系としてジノテフラン、イミダクロプリドなど、その他としてスルホンアミド系のアミドフルメト、フェニルピラゾール系のフィプロニル、オキサジアゾール系のメトキサジアゾン、また、植物精油などの殺虫剤やメトプレン、ハイドロプレンなどの昆虫幼若ホルモン、テフルベンズロンなどの昆虫キチン形成阻害化合物などが挙げられる。
【００３０】
こうした中でもエムペントリン、メトフルトリン、プロフルトリン、トランスフルスリンが特に好ましい。このような害虫防除剤は単独で用いてもよく、組み合わせて用いてもよい。また、これらの類縁体も用いられる。これらのうち常温で揮散しやすいものについては、例えば、揮散を調整するためのカバーを設けたり、ポリブテン、イソパラフィン、ノルマルパラフィン等の炭化水素類や、ラウリン酸ヘキシル、ミリスチン酸イソプロピル、フタル酸ブチルなどのエステル類からなる揮散調整剤を併用したりすることで、揮散の割合を適切に調整でき、長時間にわたって害虫防除効果を得ることができる。
【００３１】
担体３０に薬剤を保持させる際に、例えば、担体３０に薬剤を容易に含浸させるために薬剤を低粘度化する目的で、ミリスチン酸イソプロピル、パルミチン酸イソプロピル、ラウリル酸ヘキシルなどの脂肪酸エステルやイソプロピルアルコール、ポリエチレングリコール、脱臭ケロシンなどの溶剤を必要に応じて使用することができる。また、担体３０に薬剤を保持させる際に、その他の補助成分とともにこれを保持させることができ、例えば、蒸散促進用助剤として昇華性物質を添加すると揮散効果が高まってよい。害虫防除剤としてピレスロイド系化合物などを使用する場合には、これに対して有効な既知の共力剤を混合することも好ましい。さらにＢＨＴやＢＨＡなどの酸化防止剤や紫外線吸収剤を添加すると光、熱、酸化などに対する安定性が高まる。
【００３２】
保持器３１は、担体３０を挟持して保持するための部材であり、例えば一対の略矩形枠体３２、３３を備える。一対の略矩形枠体３２、３３には、担体３０を外部に露出させる略４角形の開口３４が形成されている。担体３０は、その周辺部が一対の略矩形枠体３２、３３によって挟持されて保持される。そして、前記送風手段１３により発生する気流の流路中に配置されるように、例えば開口１６を塞ぐようにケーシング１０上に載せられて装着される。
【００３３】
尚、害虫防除剤が保持された担体３０は消耗品であり、薬剤拡散装置１００の使用により害虫防除剤が消費されたとき、担体３０の交換が必要となる。消耗品の販売形態としては、担体３０のみを供給してもよく、或いは担体３０と保持器３１を一体に組み付けた薬剤保持体１４を消耗品として供給してもよい。
【００３４】
薬剤拡散装置１００は上述した構成を有し、モータ１１に電池（図示せず）などから電力を供給して回転軸１７を回転駆動すると、平板状ファン１２が回転軸１７と共に回転する。平板状ファン１２の回転により、外部の空気が薬剤保持体１４を通過して開口１６から矢印Ａ方向にケーシング１０内に吸い込まれ、両側面に設けられた開口１５、１５から矢印Ｂ方向に排気される気流が発生する。この気流が薬剤保持体１４を通過する際に、気流中に害虫防除剤が含まれ、開口１５、１５から拡散されて害虫が防除される。なお、回転軸１７を逆に回転駆動する際にも、略同風量の気流が略同一方向に発生する。即ち、開口１５、１５及び開口１６ともに気流の通過の機能を有することとなる。
また、開口１６はモータ１１の設置面側にあってもよいし、両側にあってもよい。
【００３５】
そして、本実施形態においては、開口１５がケーシング１０の両側面に設けられているとして説明したが、本発明の平板状ファン１２の回転によって発生する気流は、回転軸１７の全ての半径方向全域に通過可能であるので、開口１５は回転軸１７の円周方向任意の位相に、且つ任意の個数を設けることができる。
【００３６】
このように、吸排気方向の制約がなく、任意の位置に設定することができ、設計の自由度が向上して、小型化などの任意のデザインが可能となる。このため、使用態様に応じた自由な設計ができ、又は配置の仕方によって排気口及び吸気口の開口が閉鎖される虞をなくして、使い勝手のよい薬剤拡散装置が得られる。
【００３７】
さらに、例えば、ネックレスのような形状の薬剤拡散装置とした場合に裏表を確認することなく使用することができる等、配置の仕方によって排気口及び吸気口の開口が閉鎖されても十分な気流が発生しないという虞が少ない、使い勝手のよい薬剤拡散装置が得られる。
【００３８】
更に、本実施形態によれば、例えばシロッコファンのように送風手段１３の回転方向に制約がなく、正回転及び逆回転と任意の回転方向で、風量を損なうことなく気流を発生できるので、デザインの自由度が向上する上、電池の交換の際などの正負極を気にする必要がないので、使い勝手が向上する。
【００３９】
そして、薬剤拡散装置１００を携帯型とする場合、小型、且つ省電力であることが望ましく、薬剤拡散装置１００の大きさは、幅、奥行き共に７ｃｍ以下、高さ３ｃｍ以下とするのが好ましく、幅、奥行き共に２〜６ｃｍ、高さ１．０〜２．５ｃｍとするのがより好ましい。このため、平板状ファン１２は直径６ｃｍ以下、高さ２ｃｍ以下とし、１０００〜１００００ｒｐｍの回転速度で回転させることが好ましく、直径２〜５ｃｍ、高さ０．２〜１．０ｃｍとし、１０００〜３０００ｒｐｍで回転させることがより好ましい。また、開口１５、１６の面積は、いずれも３６ｃｍ２以下とするのが好ましく、１〜２５ｃｍ２とするのがより好ましい。更に、モータ１１に供給する電流値が５０ｍＡ以下であり、その時の風量が０．１リットル／秒以上、換言すれば、単位電流値当たりの風量は、０．００２リットル／（秒・ｍＡ）以上とするのが好ましく、電流値１〜１２ｍＡ、風量０．３〜１．５リットル／秒とするのがより好ましい。また、薬剤拡散装置１００、平板状ファン１２の材質は共にポリエチレン、ポリプロピレンなどの合成樹脂製であることが好ましく、当該平板状ファン１２の重量は０．１〜５ｇであるものが好ましい。
なお、図１に示した実施形態においては、薬剤拡散装置１００の幅、奥行き共に５ｃｍ、高さ２ｃｍであり、平板状ファン１２の直径は３．８ｃｍ、高さ０．５ｍｍで、８〜１２ｍＡの電流によって約２０００ｒｐｍで回転させた場合、１．０〜１．５リットル／秒の風量を得る。
【００４０】
なお、平板状ファン１２は、必ずしも平板２２が２枚である必要はなく、他の形態とすることもできる。他の形態を示す例を図３及び図４に示す。図３は４枚の平板を有するファンの斜視図、図４は８枚の平板を有するファンの斜視図である。
【００４１】
図３に示すファン４０は、中心に形成された円筒状ボス４１から半径方向外方に４枚の平板４２が９０°の等間隔で形成されている。円筒状ボス４１には、回転軸１７の直径よりわずかに小さい内径の取付穴４３が設けられ、モータ１１の回転軸１７が圧入・固定される。４枚の平板４２の板厚方向と直交する面４２ａは、取付穴４３の中心軸ＣＬと略平行に形成されている。４枚の平板４２は、周方向に等間隔（９０°間隔）に配置されているので、その回転のバランスはよい。
【００４２】
図４に示すファン５０は、中心に形成された円筒状ボス５１から半径方向外方に８枚の平板５２が４５°の等間隔で形成されている。円筒状ボス５１には、回転軸１７の直径よりわずかに小さい内径の取付穴５３が設けられ、モータ１１の回転軸１７が圧入・固定される。８枚の平板５２の板厚方向と直交する面５２ａは、取付穴５３の中心軸ＣＬと略平行に形成されている。８枚の平板５２は、周方向に等間隔に配置されているので、その回転のバランスはよい。
【００４３】
図３及び図４に示すファン４０、５０は、モータ１１の回転軸１７に固定されて回転し、その作用及び効果は、既に説明済みの平板状ファン１２と同様であるので説明を省略する。なお、生産コスト性及び消費電力対風量効率などのバランスを考慮すると平板４２が４枚である平板状ファン４０が好適である。
【００４４】
前記平板状ファン４０については、図５〜図７に示すように、各平板２２を補強板５３により補強した構成にしてもよい。平板状ファン４０の平板２２は、モータ側の端部に半径方向にわたって、軸方向と直交方向に延在する補強板５３が一体に設けられている。
【００４５】
本実施形態では、円筒状ボス４１（本発明でいう円筒状突部に相当する）と、その外側面から等間隔で放射状に設けられた４つの平板４２が補強板５３と一体化されている。
【００４６】
すなわち、補強板５３は円筒状ボス４１の下面及び平板４２の下面において、円筒状ボス４１及び平板４２と一体化されている。しかも、補強板５３は円筒状ボス４１の周囲で幅広に形成され、そのまま４つの平板４２の両端部において所定幅で端部近傍まで延長されている。
【００４７】
前記のように、モータ駆動に伴い円筒状ボス４１、平板４２、補強板５３が一体で高速回転するが、補強板５３によって平板４２が補強されているので、平板４２のたわみ変形、ねじれ変形等を防止できる。この結果、モータ駆動により発生する気流の風量を安定化できる。
【００４８】
なお、本実施形態では４つの平板４２を有する平板状ファン４０について補強板５３が設けられているが、図２に示した２枚の平板を有する平板状ファン１２、及び図４に示した８枚の平板を有する平板状ファン５０、及び他の枚数の平板を有する平板状ファンについても補強板５３を適用することができる。
【実施例】
【００４９】
本発明の効果を確認するため、本発明の平板状ファンを用いた実施例と、従来のシロッコファン及びプロペラファンを用いた比較例について説明する。
実施例及び比較例ともに、モータはＲＦ４００ＣＡ−５Ｚ７００（マブチモーター社製）、一方の開口１６の面積：１２.５６ｃｍ２（Φ４０ｍｍ）、他方の開口１５の面積：２０ｃｍ２（１０ｃｍ２×２）とし、モータへ直流３Ｖの電圧を印加して駆動したときの電流値（ｍＡ）、その時の回転数、及び各ファンの風量を測定して比較した。
【００５０】
図１に模した装置を用い、ファン形状のみを変えて試験を行った。
実施例で使用した平板状ファンはＡＢＳ樹脂製であり、その平板の枚数は、２枚（図２参照）、４枚（図３参照）、８枚（図４参照）とし、４枚の平板状ファンについては平板の高さ（回転軸の軸方向の厚さ）の効果を確認するため３、５、７ｍｍの３種類の試験を行った。また、従来のシロッコファン及びプロペラファンはＰＰ樹脂製であり、その斜視図をそれぞれ、図１０及び図１１に示す。なお、図１０及び図１１に示したファンは周知のものであるので説明を省略する。
【００５１】
尚、モータへ供給する電流値はＣＤＭ−２７Ｄ  ＤＩＧＩＴＡＬ  ＭＵＬＴＩＭＥＴＥＲ（ＣＵＳＴＯＭ社製）、ファンの回転数はＭＯＤＥＬ３６３２  ＰＯＣＫＥＴ  ＴＡＣＨＯＭＥＴＥＲ（ＹＯＫＯＧＡＷＡ社製）、風量はＧｅＹ  ＭＯＤＥＬ−４０（ＨＯＮＦＩＥＬＤ社製）を用いて次の通りに測定した。
・電流値は、上記の電流計を回路に直列接続して測定した。
・回転数は、ファンの一部に反射テープを張り、上記の回転計で測定した。
・風量は、薬剤拡散装置の開口の一つに、正四角柱状の筒の一端を隙間なく取り付け、筒内において該装置から３７ｃｍの距離に風速センサのプローブを設置して風速計により風速を測定し、そこから風量を求めた。
【００５２】
測定結果を図８及び表１に示す。
【００５３】
【表１】
0005114778.tif 000002
【００５４】
図８及び表１から分かるように、実施例１〜５の平板状ファンは、いずれも１．０リットル／秒以上の風量が確保されている。またこの時の電流値は、８．８（平板４枚、高さ３ｍｍ）〜１１．４ｍＡ（平板８枚）である。一方、従来のシロッコファンの風量は、１．２０リットル／秒であり、１.０リットル／秒以上の風量が確保されているが、電流値が１４．０ｍＡと大きく、電池の消耗を考慮すると小型化には必ずしも適していない。また、従来のプロペラファンは、電流値が９．０ｍＡと小さいが、風量が０．８６リットル／秒と少ない。本発明の平板状ファンは、いずれの形態のものでも、低電流値且つ大風量の条件を同時に満足させることができ、本発明の有効性が実証された。
【００５５】
更に、ファンの径を変えることで、電流値、風量にどのような特性が現れるかを試験した。
【００５６】
実施例６〜９として、図３に示す構成の平板状ファンとして、異なるファン直径（ファン直径φ２９，３２，３５，３８ｍｍ、高さ５ｍｍ）の４種のものをそれぞれ装備して試験を行った。比較例３として、図１１に示すフマキラー株式会社製「どこでもベープＮｏ．１  ＮＥＯ（ファン直径φ３８ｍｍ、高さ５ｍｍ）」を用いた。平板状ファンはＡＢＳ樹脂製であり、使用したモータは、実施例１〜５と同じであるが、器具は市販品の仕様を想定して、天面の開口の面積：４ｃｍ２、側面の開口の面積：２．５ｃｍ２であるものを使用した。
結果を表２及び図９に示す。
【００５７】
【表２】
0005114778.tif 000003
【００５８】
表２及び図９に示すように、実施例６は比較例３に比べて電流値が少ないものの風量も少ない。実施例７は比較例３に比べて、電流値は少なく、風量は多い。実施例８は比較例３に比べて、電流値は少なく、風量は格段に多い。実施例９は比較例３に比べて風量は多いものの電流値も多くなっている。
【００５９】
従って、実施例７，実施例８のファンが、電流値が少ない上に、風量が多く、好ましいことが分かる。
【００６０】
尚、本発明は、上記した実施形態に限定されるものではなく、適宜、変形、改良、等が可能である。例えば、本実施形態においては、薬剤保持体は開口側に配置したものとして説明したが、これに限定されるものではなく、開口側など、気流の通路内であればどの位置にも配置することができ、例えばモータの側面方向に薬剤保持体を配設してもよく、図１の開口１６に、あるいは開口１５，１６の両方に保持体を配設してもよい。また、平板状ファンに薬剤保持体を設けて平板状ファンと共に回転させるようにしてもよい。また、平板状ファンに設けられた取付穴を貫通穴として説明したが、これに限定されるものではなく、モータの回転軸に対し圧入・固定される構造であればよいため、別に貫通穴であることを要せず、ねじ込み式などでもよい。
【００６１】
また、前記実施形態において、前記補強板５３は平板４２の幅方向両側部に長手状に設けられているが、いずれか一方の片側であってもよい。この場合、平板４２の横断面はＬ字形になる。
【図面の簡単な説明】
【００６２】
【図１】本発明の実施形態である薬剤拡散装置の分解斜視図である。
【図２】図１における平板状ファンの斜視図である。
【図３】平板状ファンの他の形態を示す斜視図である。
【図４】平板状ファンの更に他の形態を示す斜視図である。
【図５】平板を補強した平板状ファンの形態を示す斜視図である。
【図６】平板を補強した平板状ファンの形態を示す平面図である。
【図７】平板を補強した平板状ファンの形態を示す底面図である。
【図８】ファンの形態（枚数と厚さ）を変えて試験した結果の、モータに供給する電流値と風量の関係を比較して示すグラフである。
【図９】ファン径を変えて試験した結果の、モータに供給する電流値、風量の関係を比較して示すグラフである。
【図１０】従来のシロッコファンの斜視図である。
【図１１】従来のプロペラファンの斜視図である。
【符号の説明】
【００６３】
１１      モータ
１２      平板状ファン
１３      送風手段
１４      薬剤保持体
１５，１６  開口
１７      回転軸
２２，４２，５２  平板
１００    薬剤拡散装置
【図１】
0005114778.tif 000004
【図２】
0005114778.tif 000005
【図３】
0005114778.tif 000006
【図４】
0005114778.tif 000007
【図５】
0005114778.tif 000008
【図６】
0005114778.tif 000009
【図７】
0005114778.tif 000010
【図８】
0005114778.tif 000011
【図９】
0005114778.tif 000012
【図１０】
0005114778.tif 000013
【図１１】
0005114778.tif 000014